(57)【要約】ユーザが閲覧した情報から得られる各目的地候補の中からユーザが目的地の決定を容易に行うことができる目的地設定システムを提供する。情報取得手段９１は、ウェブページを取得する。情報解析手段９２は、ウェブページからユーザの目的地候補の位置情報およびその目的地候補の名称を抽出し、その位置情報および名称がユーザの目的地に該当する可能性の程度を示す目的地指標値をウェブページの閲覧履歴に基づいて導出する。目的地候補記憶手段９３は、位置情報と名称と目的地指標値とを含む情報を目的地候補の情報として記憶する。目的地設定手段９４は、目的地指標値に基づいて目的地候補をユーザに提示し、ユーザに選択された目的地候補を目的地として設定する。
2010131445.tif 000002
【特許請求の範囲】
【請求項１】
ウェブページを取得する情報取得手段と、
前記ウェブページからユーザの目的地候補の位置情報および当該目的地候補の名称を抽出し、当該位置情報および名称がユーザの目的地に該当する可能性の程度を示す目的地指標値を当該ウェブページの閲覧履歴に基づいて導出する情報解析手段と、
前記位置情報と前記名称と前記目的地指標値とを含む情報を目的地候補の情報として記憶する目的地候補記憶手段と、
目的地指標値に基づいて目的地候補をユーザに提示し、ユーザに選択された目的地候補を目的地として設定する目的地設定手段とを備える
ことを特徴とする目的地設定システム。
【請求項２】
情報解析手段は、
ユーザがウェブページを閲覧した閲覧回数を計測する閲覧回数計測手段、
ユーザによるウェブページの閲覧時間を計測する閲覧時間計測手段、
ウェブページのＵＲＬの階層を判定する階層判定手段、
ウェブページのブックマーク登録操作または印刷操作を検出するウェブページ操作検出手段、および、
予め定められた重要単語をウェブページから抽出する単語抽出手段
のうちの少なくとも一つを有し、
さらに、情報解析手段は、
閲覧回数計測手段を有している場合には、閲覧回数計測手段が計測した閲覧回数が多いほど値が大きくなるように目的地指標値を制御し、
閲覧時間計測手段を有している場合には、閲覧時間計測手段が計測した閲覧時間が長いほど値が大きくなるように目的地指標値を制御し、
階層判定手段を有している場合には、階層判定手段が判定したウェブページのＵＲＬの階層が深いほど値が大きくなるように目的地指標値を制御し、
ウェブページ操作検出手段を有している場合には、ウェブページ操作検出手段がウェブページのブックマーク登録操作または印刷操作を検出した回数が多いほど値が大きくなるように目的地指標値を制御し、
単語抽出手段を有している場合には、単語抽出手段が抽出した重要単語の数が多いほど値が大きくなるように目的地指標値を制御するウェブページ閲覧時指標値決定手段を有する
請求項１に記載の目的地設定システム。
【請求項３】
情報解析手段は、ユーザがウェブページを閲覧した時刻を計測する閲覧時刻計測手段を有し、
現在時刻を計測する現在時刻計測手段と、
現在位置を計測する位置計測手段とを備え、
目的地設定手段は、
前記現在位置から目的地候補の位置までの距離を計算する現在位置解析手段、
ユーザがウェブページを閲覧した時刻から現在時刻までの経過時間を計算する現在時刻解析手段、および、
ユーザが目的地候補を目的地として設定する操作を検出する設定操作検出手段
のうちの少なくとも一つを有し、
さらに、目的地設定手段は、
現在位置解析手段を有している場合には、前記現在位置から目的地候補の位置までの距離が短いほど値が大きくなるように当該目的地候補の目的地指標値を制御し、
現在時刻解析手段を有している場合には、ユーザがウェブページを閲覧した時刻から現在時刻までの経過時間が短いほど値が大きくなるように前記ウェブページに対応する目的地指標値を制御し、
設定操作検出手段を有している場合には、設定操作検出手段がユーザによる目的地候補を目的地として設定する操作を検出すると値が大きくなるように前記目的地候補の目的地指標値を制御するウェブページ閲覧後指標値決定手段を有する
請求項１または請求項２に記載の目的地設定システム。
【請求項４】
目的地候補記憶手段が設けられたサーバ装置を備え、
情報取得手段および情報解析手段が設けられたユーザ端末を複数備え、
ユーザに目的地までの経路を案内する案内端末であって、目的地設定手段が設けられた案内端末を備え、
各ユーザ端末の情報解析手段は、目的地候補の位置情報と名称と目的地指標値とを導出したときに、前記サーバ装置に、前記目的地候補記憶手段に記憶されている前記位置情報に対応する目的地指標値を、導出した目的地指標値分増加させ、
案内端末は、現在位置を計測する位置計測手段を備え、
目的地設定手段は、
ユーザが目的地候補を目的地として設定する操作を検出する設定操作検出手段、
目的地候補に対応するウェブページを閲覧するための操作を検出する閲覧操作検出手段、および、
現在位置と目的地候補の位置情報とを比較して当該案内端末の所有者であるユーザが目的地候補に訪れたか否かを判定する位置判定手段
のうちの少なくとも一つを有し、
さらに、目的地設定手段は、
設定操作検出手段を有している場合には、設定操作検出手段がユーザによる目的地候補を目的地として設定する操作を検出すると、値が大きくなるように、サーバ装置の目的地候補記憶手段に記憶された前記目的地候補の目的地指標値を制御し、
閲覧操作検出手段を有している場合には、閲覧操作検出手段がユーザによる目的地候補に対応するウェブページを閲覧するための操作を検出すると、値が大きくなるように、サーバ装置の目的地候補記憶手段に記憶された前記目的地候補の目的地指標値を制御し、
位置判定手段を有している場合には、位置判定手段がユーザが目的地候補に訪れたと判定すると、値が大きくなるように、サーバ装置の目的地候補記憶手段に記憶された当該目的地候補の目的地指標値を制御する目的地指標値更新手段を有する
請求項１から請求項３のうちのいずれか１項に記載の目的地設定システム。
【請求項５】
目的地候補の情報に含まれる名称を、音声認識結果との比較対象文字列として記憶する音声認識辞書記憶手段と、
ユーザの発した音声に対する音声認識を行い、音声認識結果が音声認識辞書記憶手段に記憶されたいずれかの比較対象文字列に一致するか否かを判定する音声認識手段とを備え、
目的地設定手段は、音声認識結果が音声認識辞書記憶手段に記憶されたいずれかの比較対象文字列に一致すると判定された場合に、比較対象文字列に該当する名称の目的地候補がユーザに選択されたと判定する
請求項１から請求項４のうちのいずれか１項に記載の目的地設定システム。
【請求項６】
ウェブページを取得する情報取得手段と、
前記ウェブページからユーザの目的地候補の位置情報および当該目的地候補の名称を抽出し、当該位置情報および名称がユーザの目的地に該当する可能性の程度を示す目的地指標値を当該ウェブページの閲覧履歴に基づいて導出する情報解析手段とを備える
ことを特徴とする端末装置。
【請求項７】
現在位置から目的地までの経路を案内する案内端末であって、
ウェブページから抽出されたユーザの目的地候補の位置情報および名称と、当該位置情報および名称がユーザの目的地に該当する可能性の程度を示す目的地指標値とを目的地候補の情報として記憶する目的地候補記憶手段と、
目的地指標値に基づいて目的地候補をユーザに提示し、ユーザに選択された目的地候補を目的地として設定する目的地設定手段とを備える
ことを特徴とする案内端末。
【請求項８】
ウェブページを取得し、
前記ウェブページからユーザの目的地候補の位置情報および当該目的地候補の名称を抽出し、当該位置情報および名称がユーザの目的地に該当する可能性の程度を示す目的地指標値を当該ウェブページの閲覧履歴に基づいて導出し、
前記位置情報と前記名称と前記目的地指標値とを含む情報を目的地候補の情報として記憶し、
目的地指標値に基づいて目的地候補をユーザに提示し、ユーザに選択された目的地候補を目的地として設定する
ことを特徴とする目的地設定方法。
【請求項９】
ユーザがウェブページを閲覧した閲覧回数を計測する閲覧回数計測処理、
ユーザによるウェブページの閲覧時間を計測する閲覧時間計測処理、
ウェブページのＵＲＬの階層を判定する階層判定処理、
ウェブページのブックマーク登録操作または印刷操作を検出するウェブページ操作検出処理、および、
予め定められた重要単語をウェブページから抽出する単語抽出処理のうちの少なくとも一つを実行し、
閲覧回数計測処理を実行する場合には、閲覧回数計測処理で計測した閲覧回数が多いほど値が大きくなるように目的地指標値を制御し、
閲覧時間計測処理を実行する場合には、閲覧時間計測処理で計測した閲覧時間が長いほど値が大きくなるように目的地指標値を制御し、
階層判定処理を実行する場合には、階層判定処理で判定したウェブページのＵＲＬの階層が深いほど値が大きくなるように目的地指標値を制御し、
ウェブページ操作検出処理を実行する場合には、ウェブページ操作検出処理でウェブページのブックマーク登録操作または印刷操作を検出した回数が多いほど値が大きくなるように目的地指標値を制御し、
単語抽出処理を実行する場合には、単語抽出処理で抽出した重要単語の数が多いほど値が大きくなるように目的地指標値を制御する
請求項８に記載の目的地設定方法。
【請求項１０】
コンピュータに、
ウェブページを取得する情報取得処理、および、
前記ウェブページからユーザの目的地候補の位置情報および当該目的地候補の名称を抽出し、当該位置情報および名称がユーザの目的地に該当する可能性の程度を示す目的地指標値を当該ウェブページの閲覧履歴に基づいて導出する情報解析処理
を実行させるための情報収集プログラム。
【請求項１１】
現在位置から目的地までの経路を案内するコンピュータに搭載される目的地設定プログラムであって、
前記コンピュータに、
ウェブページから抽出されたユーザの目的地候補の位置情報および名称と、当該位置情報および名称がユーザの目的地に該当する可能性の程度を示す目的地指標値とを目的地候補の情報として記憶する目的地候補記憶処理、および、
目的地指標値に基づいて目的地候補をユーザに提示し、ユーザに選択された目的地候補を目的地として設定する目的地設定処理
を実行させるための目的地設定プログラム。
【発明の詳細な説明】
【技術分野】
【０００１】
本発明は、目的地までの経路をユーザに提示する端末において、目的地の設定を容易に行えるようにする目的地設定システム、および、その目的地設定システムに適用される端末装置、案内端末、目的地設定方法、情報収集プログラム、目的地設定プログラムに関する。
【背景技術】
【０００２】
カーナビゲーションシステムのように、ＧＰＳ（Global Positioning System）等を利用して現在位置を測定し、ユーザが目的地を設定すると、その目的地までの経路を案内する目的地案内システムが知られている。このような目的地案内システムでは、ユーザがカーナビゲーションシステムを操作して目的地を設定する。例えば、目的の住所や電話番号を入力したり、指定したジャンルの中から目的地を選択したり、表示された地図上において目的地を指定したりする等の操作を行って、目的地を設定する。【０００３】
また、種々のナビゲーション装置が提案されている。例えば、特許文献１に記載された端末（ナビゲーション装置として用いられる車載用端末）は、その端末がアクセスしたウェブページから住所や電話番号が抽出された場合、位置情報（緯度、経度）を検索するサーバにその住所や電話番号に応じた位置情報を問い合わせる。端末は、サーバから受信した位置情報を目的地として設定し、その位置情報を地図上に示したり、その目的地までの経路を算出して経路案内を行う。【０００４】
また、特許文献２には、車載情報端末として用いられる音声認識装置が記載されている。特許文献２に記載された音声認識装置は、その音声認識装置がアクセスしたウェブページから、「リンクが張られている名詞」をキーワードとして抽出し、そのキーワードを音声認識辞書に登録することで、音声認識の対象単語の絞り込み能力を向上させる。【０００５】
特許文献１，２に記載された端末は、ウェブページにアクセスできる車載用端末であり、ユーザが車両を運転して旅行する時などに情報を収集できる。【０００６】
また、一般的なカーナビゲーションシステムとして、ジャンル毎に定められたランドマークの情報を予め保持しているカーナビゲーションシステムがある。このようなシステムでは、ユーザに指定されたジャンルのランドマークを一覧表示したり、地図上にそのランドマークを表示させたりする。
【先行技術文献】
【特許文献】
【０００７】
【特許文献１】特開２０００−３３７９１１号公報（段落００３２，００４２−００６７）
【特許文献２】特開２００２−３４１８９２号公報（段落００２７−００２９）
【発明の概要】
【発明が解決しようとする課題】
【０００８】
特許文献１に記載された車載用端末は、アクセスしたウェブページ内から住所や電話番号を抽出すると、その住所や電話番号に応じた位置情報をサーバに問い合わせる。しかし、様々なウェブページに住所や電話番号が記載されているため、目的地に関する情報収集以外の目的で閲覧したウェブページに住所や電話番号が記載されていると、ユーザが行く意思のない場所が目的地として設定されてしまう。そのように、ユーザが本来行こうとしている目的地以外の場所が多数目的地候補として設定されてしまうと、本来目的地とすべき場所を選択する必要が生じ、そのための操作が煩雑になってしまう。【０００９】
また、特許文献２に記載された車載用端末は、ウェブページにおいて「リンクが張られている名詞」を抽出する。そのため、ウェブページ上の住所や電話番号にリンクが張られていなければ、それらの住所等は抽出されず、辞書に登録されないため、目的地設定のために利用されないこととなってしまう。【００１０】
そこで、本発明は、ユーザが閲覧した情報から得られる各目的地候補の中からユーザが目的地の決定を容易に行うことができる目的地設定システム、および、その目的地設定システムに適用される端末装置、案内端末、目的地設定方法、情報収集プログラム、目的地設定プログラムを提供することを目的とする。
【課題を解決するための手段】
【００１１】
本発明による目的地設定システムは、ウェブページを取得する情報取得手段と、ウェブページからユーザの目的地候補の位置情報およびその目的地候補の名称を抽出し、その位置情報および名称がユーザの目的地に該当する可能性の程度を示す目的地指標値をウェブページの閲覧履歴に基づいて導出する情報解析手段と、位置情報と名称と目的地指標値とを含む情報を目的地候補の情報として記憶する目的地候補記憶手段と、目的地指標値に基づいて目的地候補をユーザに提示し、ユーザに選択された目的地候補を目的地として設定する目的地設定手段とを備えることを特徴とする。【００１２】
また、本発明による端末装置は、ウェブページを取得する情報取得手段と、ウェブページからユーザの目的地候補の位置情報およびその目的地候補の名称を抽出し、その位置情報および名称がユーザの目的地に該当する可能性の程度を示す目的地指標値をウェブページの閲覧履歴に基づいて導出する情報解析手段とを備えることを特徴とする。【００１３】
また、本発明による案内端末は、現在位置から目的地までの経路を案内する案内端末であって、ウェブページから抽出されたユーザの目的地候補の位置情報および名称と、その位置情報および名称がユーザの目的地に該当する可能性の程度を示す目的地指標値とを目的地候補の情報として記憶する目的地候補記憶手段と、目的地指標値に基づいて目的地候補をユーザに提示し、ユーザに選択された目的地候補を目的地として設定する目的地設定手段とを備えることを特徴とする。【００１４】
また、本発明による目的地設定方法は、ウェブページを取得し、ウェブページからユーザの目的地候補の位置情報およびその目的地候補の名称を抽出し、その位置情報および名称がユーザの目的地に該当する可能性の程度を示す目的地指標値をウェブページの閲覧履歴に基づいて導出し、位置情報と名称と目的地指標値とを含む情報を目的地候補の情報として記憶し、目的地指標値に基づいて目的地候補をユーザに提示し、ユーザに選択された目的地候補を目的地として設定することを特徴とする。【００１５】
また、本発明による情報収集プログラムは、コンピュータに、ウェブページを取得する情報取得処理、および、ウェブページからユーザの目的地候補の位置情報およびその目的地候補の名称を抽出し、その位置情報および名称がユーザの目的地に該当する可能性の程度を示す目的地指標値をウェブページの閲覧履歴に基づいて導出する情報解析処理を実行させることを特徴とする。【００１６】
また、本発明による目的地設定プログラムは、現在位置から目的地までの経路を案内するコンピュータに搭載される目的地設定プログラムであって、コンピュータに、ウェブページから抽出されたユーザの目的地候補の位置情報および名称と、その位置情報および名称がユーザの目的地に該当する可能性の程度を示す目的地指標値とを目的地候補の情報として記憶する目的地候補記憶処理、および、目的地指標値に基づいて目的地候補をユーザに提示し、ユーザに選択された目的地候補を目的地として設定する目的地設定処理を実行させることを特徴とする。
【発明の効果】
【００１７】
本発明によれば、ユーザが閲覧した情報から得られる各目的地候補の中から、ユーザが目的地の決定を容易に行うことができる。
【図面の簡単な説明】
【００１８】
【図１】本発明の目的地設定システムの第１の実施形態の例を示すブロック図である。
【図２】目的地候補データベースの例を示す説明図である。
【図３】情報解析部の例を示すブロック図である。
【図４】ユーザ端末側目的地候補記憶部に目的地候補の情報を記憶させるまでの処理経過の例を示すフローチャートである。
【図５】ユーザ端末において目的地候補のレコードが記憶された後、車載端末が目的地を設定するまでの処理経過の例を示すフローチャートである。
【図６】地図上に目的地候補を表示する例を示す説明図である。
【図７】目的地設定部の例を示すブロック図である。
【図８】本発明の目的地設定システムの第２の実施形態の例を示すブロック図である。
【図９】第２の実施形態における車載端末の構成例を示すブロック図である。
【図１０】本発明の目的地設定システムの第３の実施形態の例を示すブロック図である。
【図１１】情報解析部の例を示すブロック図である。
【図１２】音声認識辞書の例を示す説明図である。
【図１３】本発明の目的地設定システムの最小構成を示すブロック図である。
【図１４】本発明の端末装置の最小構成を示すブロック図である。
【図１５】本発明の案内端末の最小構成を示すブロック図である。
【発明を実施するための形態】
【００１９】
以下、本発明の実施形態を、図面を参照して説明する。
【００２０】
実施形態１．
図１は、本発明の目的地設定システムの第１の実施形態の例を示すブロック図である。第１の実施形態の目的地設定システムは、案内端末１と、ユーザ端末２とを備える。案内端末１は、ユーザ５に対して目的地までの経路を提示する端末であり、例えばカーナビゲーションシステムにおける車載端末によって実現される。ただし、案内端末１は、車載端末に限定されず、例えば、ユーザ５に携帯される携帯端末であってもよい。以下の説明では、案内端末１が、カーナビゲーションシステムにおける車載端末である場合を例にして説明し、案内端末を車載端末と記す。また、ユーザ端末２は、車載端末１とは別にユーザ５に使用される端末であり、ユーザ５の操作に応じてウェブページを表示する。ユーザ端末２は、例えば、パーソナルコンピュータや携帯端末である。ユーザ端末２と車載端末１とが同一の装置で実現されていてもよい。
【００２１】
ユーザ端末２は、ユーザ５が行こうとする目的地の候補である目的地候補の位置情報および名称等をウェブページから抽出し、ユーザ５のウェブページ閲覧履歴に基づいて目的地候補指標値を導出する。目的地候補指標値は、ウェブページから抽出した位置情報および名称が、実際のユーザ５の目的地に該当する可能性の程度を示す値である。目的地候補指標値は、目的地候補としての重要度（目的地に該当する可能性の高さ）を表しているということもでき、以下、目的地候補指標値を重要度と記す。車載端末１は、重要度に基づいて目的地候補をユーザ５に提示し、ユーザ５の操作により指定された目的地候補を目的地として設定する。
【００２２】
ユーザ端末２は、情報取得部２１と、情報解析部２２と、ユーザ端末側目的地候補記憶部２３と、通信部２４とを備える。
【００２３】
情報取得部２１は、ユーザ５に指定されたウェブページを通信ネットワーク（例えば、インターネット。図示略。）を介して取得し、そのウェブページをユーザ端末２のディスプレイ装置（図示略。）に表示させる。また、情報取得部２１は、取得したウェブページを情報解析部２２に入力する。具体的には、情報取得部２１は、取得したウェブページのＨＴＭＬ（HyperText Markup Language ）形式のテキスト情報を情報解析部２２に入力する。
【００２４】
情報解析部２２は、ウェブページから、ユーザ５が行こうとする目的地の候補である目的地候補の位置情報および名称を抽出し、抽出した位置情報および名称がユーザ５の目的地に該当する可能性の程度を示す重要度（目的地候補指標値）を導出する。情報解析部２２は、その位置情報、名称、重要度等をユーザ端末側目的地候補記憶部２３に記憶させる。
【００２５】
なお、以下の説明では、ウェブページから位置情報、名称を抽出する場合を例にして説明するが、ユーザ端末２が受信した電子メールを、目的地候補の位置情報、名称等の抽出対象としてもよい。
【００２６】
ユーザ端末側目的地候補記憶部２３は、各目的地候補の位置情報、名称、重要度等を記憶する記憶装置である。目的地候補毎の位置情報、名称、重要度等の集合は、目的地候補データベースということができる。
【００２７】
通信部２４は、ユーザ端末側目的地候補記憶部２３に記憶されている各目的地候補の位置情報、名称、重要度等を車載端末１に送信する。
【００２８】
ユーザ端末２４の通信部２４と、後述の車載端末１の通信部１５とは、例えば、無線ＬＡＮ（Local Area Network）、Ｂｌｕｅｔｏｏｔｈ（登録商標）、あるいは赤外線通信等の無線通信を行ってもよい。あるいは、ＵＳＢ（Universal Serial Bus）、シリアルケーブル等を介した有線通信を行ってもよい。また、ユーザ端末２４の通信部２４と後述の車載端末１の通信部１５とがそれぞれインターネット等の通信ネットワークに接続され、その通信ネットワークを介して通信を行ってもよい。
【００２９】
また、ユーザ端末２が、メモリカード等の記憶媒体に、各目的地候補の位置情報、名称、重要度等を記憶させ、車載端末１がその記憶媒体から各情報を読み込むことによって、ユーザ端末２および車載端末１間で情報を授受してもよい。
【００３０】
車載端末１は、目的地設定部１１と、案内端末側目的地候補記憶部１４と、通信部１５とを備える。
【００３１】
案内端末側目的地候補記憶部１４は、ユーザ端末側目的地候補記憶部２３と同様に、各目的地候補の位置情報、名称、重要度等を記憶する記憶装置である。
【００３２】
車載端末１の通信部１５は、ユーザ端末２の通信部２４から各目的地候補の位置情報、名称、重要度等を受信する。このとき、車載端末１は、その情報を案内端末側目的地候補記憶部１４に記憶させる。
【００３３】
目的地設定部１１は、目的地候補の重要度に基づいて目的地候補をユーザ５に提示し、ユーザ５に選択された目的地候補を目的地として設定する。
【００３４】
車載端末１は、現在位置から目的地設定部１１に設定された目的地までの経路を特定し、その経路をユーザ５に提示する。ユーザ５は、提示された経路を参照することで、目的地までの経路を把握することができる。なお、現在位置から目的地までの経路を特定する方法は特に限定されない。
【００３５】
次に、ユーザ端末側目的地候補記憶部２３や案内端末側目的地候補記憶部１４に記憶される目的地候補データベースについて説明する。図２は、目的地候補データベースの例を示す説明図である。図２では、目的地候補データベースをＸＭＬ（Extensible Markup Language）形式で表現した場合の例を示している。目的地候補データベースは、目的地候補のレコードを複数含む。図２に示す例では、目的地候補タグに囲まれた範囲が目的地候補の１レコードである。図２では、１つの目的地候補のレコードに、目的地候補の位置情報、名称、ＵＲＬ、最終閲覧時間、閲覧回数、重要度、キーワードを含む場合を例示している。
【００３６】
図２に示す例において、位置タグに囲まれた範囲が位置情報に該当する。図２では、位置情報として、緯度、経度および住所を含む場合を示している。緯度、経度および住所は、それぞれ緯度タグ、経度タグ、住所タグとともに記述される。
【００３７】
図２に示す例において、名称タグに囲まれた範囲が目的地候補の名称に該当する。
【００３８】
図２に示す例において、ＵＲＬタグに囲まれた範囲は、位置情報および名称等が抽出されたウェブページのＵＲＬ（Uniform Resource Locator）である。目的地候補の位置情報は、一つのウェブページだけに記載されているとは限らず、複数のウェブページに記載されている場合もある。既に位置情報が抽出済みのウェブページ以外のウェブページであって、共通する位置情報を含むウェブページをユーザが閲覧した場合、そのウェブページのＵＲＬも追加される。例えば、図２に示す位置情報と共通の位置情報を含むウェブページが閲覧された場合、そのウェブページのＵＲＬも、図２に例示するレコードに追加される。
【００３９】
図２に示す例において、最終閲覧時間タグに囲まれた範囲は、名称等が抽出されたウェブページをユーザが最後に閲覧した時刻を表す。同様に、閲覧回数タグに囲まれた範囲は、名称等が抽出されたウェブページをユーザが閲覧した回数を表す。閲覧時間は、名称等が抽出されたウェブページをユーザが閲覧していた時間の長さを表す。重要度点数タグに囲まれた範囲は、目的地候補に対する重要度を表す。キーワードタグに囲まれた範囲は、予め定められたキーワードのうち、名称等が抽出されたウェブページに記載されていたキーワードを表す。キーワードは、目的地候補をジャンル等で分類するために用いられる。
【００４０】
なお、レコード内で、タグとともに記載された各データをテーブルと呼ぶ場合がある。
【００４１】
図２はレコードの例示であり、図２に示すテーブルの一部がレコードに含まれていなくてもよい。また、他のテーブルがレコードに含まれていてもよい。
【００４２】
ユーザ端末の情報解析部２２は、情報取得部２１がウェブページを取得してユーザに提示したとき（すなわち、ディスプレイ装置（図示略。）に表示させたとき）、図２に例示する目的地候補のレコードを生成し、ユーザ端末側目的地候補記憶部２３に記憶させる。情報解析部２２の例を以下に示す。
【００４３】
図３は、情報解析部２２の例を示すブロック図である。情報解析部２２は、テキスト解析部３１と、閲覧時刻計測部３２と、閲覧時間計測部３３と、閲覧回数計測部３４と、ＵＲＬ解析部３５と、操作履歴解析部３６と、重要度判定部３７とを備える。テキスト解析部３１は、名称抽出部３１１と、位置情報抽出部３１２と、重要単語検出部３１３とを備える。
【００４４】
位置情報抽出部３１２は、ウェブページのＨＴＭＬ形式のテキスト情報から、位置情報を抽出する。位置情報抽出部３１２は、郵便番号を表す数字の文字列や都道府県名に該当する文字列をキーにして住所を表す文字列を抽出したり、あるいは、住所を表す住所タグとともに記載された文字列を住所として抽出したりすればよい。また、外部の地図情報サーバから提供される地図情報がウェブページに貼付される場合には、緯度経度情報がウェブページに記載されている。位置情報抽出部３１２は、そのように目的地候補の地図が貼付されたウェブページから、位置経度情報を抽出する。
【００４５】
また、ウェブページに住所や電話番号が記載されているが緯度および経度が記載されていない場合もある。そのような場合には、予め種々の住所または電話番号と緯度および経度とを対応付けて記憶し、指定された住所または電話番号に対応する緯度および経度の情報を提供するサーバ（緯度経度提供サーバ。図示略。）に、緯度および経度を問い合わせればよい。すなわち、位置情報抽出部３１２は、ウェブページから住所や電話番号を抽出し、その住所や電話番号を指定して、対応する緯度および経度を緯度経度提供サーバに問い合わせ、緯度経度提供サーバから緯度および経度の情報を受信してもよい。
【００４６】
名称抽出部３１１は、ウェブページのＨＴＭＬ形式のテキスト情報から、名称を抽出する。名称抽出部３１１は、例えば、ウェブページのタイトルを名称として抽出してもよい。また、施設名やレストラン名等に関するタグのように、目的地候補の名称となり得る語句とともに用いられるタグをキーにして名称を抽出してもよい。また、目的地候補となる場所は略称や愛称で呼ばれる場合もあり、ウェブページに複数種類の名称が記載されることもある。そのような場合、名称抽出部３１１は、複数の名称を抽出してもよい。
【００４７】
重要単語検出部３１３は、予め定められた重要単語に合致する文字列が、ウェブページ内に記載されている場合、その重要単語をウェブページから検出する。例えば、「案内図」、「アクセスマップ」等の重要単語が予め定められている場合、それらの重要単語をウェブページから検出する。「案内図」、「アクセスマップ」等の単語が含まれているウェブページは、目的地とされやすい場所の情報を記載したウェブページであるということができる。そして、ユーザがそのようなウェブページを閲覧したということは、ユーザは、そのウェブページに記載された場所を詳しく知ろうとしていると言える。
【００４８】
また、重要単語とは別に、目的地候補を分類するためのキーワードが定められていてもよい。その場合、重要単語検出部３１３は、分類のために定められたキーワードもウェブページから検出する。目的地候補を分類するためのキーワードの例として、例えば、「レストラン」、「ガソリンスタンド」、「ラーメン」、「駐車場」等が挙げられるが、分類のためのキーワードは、これらに限定されない。
【００４９】
閲覧時刻計測部３２は、ユーザがウェブページを閲覧した時刻を計測する。ユーザがウェブページを閲覧したか否かは、情報取得部２１がウェブページをユーザに提示したか否かによって判定すればよい。従って、閲覧時刻計測部３２は、情報取得部２１がディスプレイ装置（図示略。）にウェブページを表示させた時刻を、ウェブページの閲覧時刻として計測すればよい。
【００５０】
閲覧時間計測部３３は、ユーザがウェブページを閲覧した時間を計測する。閲覧時間計測部３３は、情報取得部２１がディスプレイ装置（図示略。）にウェブページを表示させていた時間を計測すればよい。
【００５１】
閲覧回数計測部３４は、抽出される位置情報が共通するウェブページの閲覧回数を計測する。閲覧回数計測部３４は、抽出される位置情報が共通するウェブページを情報取得部２１がディスプレイ装置（図示略。）に表示させた回数を計測すればよい。
【００５２】
ＵＲＬ解析部３５は、ユーザによって閲覧され位置情報および名称が抽出されたウェブページのＵＲＬの階層を判定する。ユーザが、階層のより深いウェブページを閲覧しているということは、ユーザがそれだけ詳しい情報を知ろうとしているということができる。
【００５３】
また、ＵＲＬ解析部３５は、ユーザに既に閲覧され位置情報および名称が抽出されたウェブページとは別のウェブページがユーザに閲覧され、そのウェブページから共通の位置情報が抽出されている場合に、そのウェブページのＵＲＬをレコードに追加する。
【００５４】
操作履歴解析部３６は、位置情報および名称が抽出されたウェブページに対するブックマーク登録操作および印刷操作を検出する。ブックマーク登録操作は、表示中のウェブページをブックマーク登録する操作であり、印刷操作は、表示中のウェブページを印刷する操作である。ブックマーク登録操作が行われたり、印刷操作の回数が多いということは、ユーザがそれだけ詳しい情報を知ろうとしているということができる。
【００５５】
なお、情報解析部２２は、重要単語検出部３１３、閲覧時刻計測部３２、閲覧時間計測部３３、閲覧回数計測部３４、ＵＲＬ解析部３５、操作履歴解析部３６に関しては、閲覧時間計測部３３、閲覧回数計測部３４、ＵＲＬ解析部３５、操作履歴解析部３６、重要単語検出部３１３のうち少なくとも一つを備えていればよい。
【００５６】
重要度判定部３７は、閲覧時間計測部３３、閲覧回数計測部３４、ＵＲＬ解析部３５、操作履歴解析部３６、重要単語検出部３１３による各種計測結果、検出結果、判定結果に基づいて、ウェブページから位置情報および名称が抽出された目的地候補の重要度を導出する。具体的には、以下のように重要度を導出する。
【００５７】
重要度判定部３７は、閲覧時間計測部３３によって計測されたユーザのウェブページ閲覧時間が長いほど、値が大きくなるように重要度の値を制御する。例えば、ウェブページ閲覧時間が長いほど、重要度の値を増加させる。ただし、この処理は、閲覧時間計測部３３が備えられている場合に行えばよく、閲覧時間計測部３３が備えられていない場合には、ウェブページ閲覧時間は考慮しない。
【００５８】
また、重要度判定部３７は、閲覧回数計測部３４が計測したユーザのウェブページ閲覧回数が多いほど、値が大きくなるように重要度の値を制御する。例えば、ウェブページ閲覧回数が多いほど、重要度の値を増加させる。ただし、この処理は、閲覧回数計測部３４が備えられている場合に行えばよく、閲覧回数計測部３４が備えられていない場合には、ウェブページ閲覧回数は考慮しない。
【００５９】
また、重要度判定部３７は、ＵＲＬ解析部３５によって判定されたウェブページのＵＲＬの階層が深いほど、値が大きくなるように重要度の値を制御する。例えば、ウェブページのＵＲＬの階層が深いほど、重要度の値を増加させる。ただし、この処理は、ＵＲＬ解析部３５が備えられている場合に行えばよく、ＵＲＬ解析部３５が備えられていない場合には、ウェブページのＵＲＬの階層は考慮しない。
【００６０】
また、共通の位置情報が抽出されているウェブページのＵＲＬが、ＵＲＬ解析部３５によってレコードに追加されている。重要度判定部３７は、このＵＲＬの数が多いほど、重要度の値を増加させてもよい。
【００６１】
また、重要度判定部３７は、操作履歴解析部３６によって検出されたブックマーク登録操作および印刷操作の回数が多いほど、値が大きくなるように重要度の値を制御する。例えば、ブックマーク登録操作および印刷操作の回数が多いほど、重要度の値を増加させる。ただし、この処理は、操作履歴解析部３６が備えられている場合に行えばよく、操作履歴解析部３６が備えられていない場合には、ブックマーク登録操作や印刷操作の回数は考慮しない。また、操作履歴解析部３６がブックマーク登録操作と印刷操作のいずれか一方のみを検出し、ブックマーク登録操作と印刷操作のいずれか一方のみに着目して、操作回数が多いほど重要度の値を増加させてもよい。
【００６２】
また、重要度判定部３７は、重要単語検出部３１３によって検出された重要単語の数が多いほど、値が大きくなるように重要度の値を制御する。例えば、重要単語の数が多いほど、重要度の値を増加させる。ただし、この処理は、重要単語検出部３１３が備えられている場合に行えばよく、重要単語検出部３１３が備えられていない場合には、検出された重要単語の数は考慮しない。
【００６３】
以下の説明では、情報解析部２２が、名称抽出部３１１および位置情報抽出部３１２の他に、重要単語検出部３１３、閲覧時刻計測部３２、閲覧時間計測部３３、閲覧回数計測部３４、ＵＲＬ解析部３５、および操作履歴解析部３６を備えている場合を例にして説明する。
【００６４】
情報解析部２２は、ウェブページから抽出した位置情報および名称や、計測、検出等した各データ、および重要度を、図２に例示する目的地候補のレコードとしてユーザ端末側目的地候補記憶部２３に記憶させる。
【００６５】
テキスト解析部３１（名称抽出部３１１、位置情報抽出部３１２、および重要単語検出部３１３）、閲覧時刻計測部３２、閲覧時間計測部３３、閲覧回数計測部３４、ＵＲＬ解析部３５、操作履歴解析部３６、および重要度判定部３７を含む情報解析部２２と、情報取得部２１とは、例えば、プログラム（情報収集プログラム）に従って動作するコンピュータのＣＰＵによって実現される。この場合、プログラムがユーザ端末２のプログラム記憶装置（図示略。）に予め記憶され、ＣＰＵがそのプログラムに従って、情報解析部２２および情報取得部２１として動作すればよい。また、各構成要素がそれぞれ別々のハードウェアによって実現されていてもよい。
【００６６】
また、車載端末１の目的地設定部１１は、例えば、プログラム（目的地設定プログラム）に従って動作するコンピュータのＣＰＵによって実現される。この場合、プログラムが車載端末１のプログラム記憶装置（図示略。）に予め記憶され、ＣＰＵがそのプログラムに従って、目的地設定部１１として動作すればよい。
【００６７】
また、各端末における通信部１５および通信部２４は、例えば、通信インタフェースによって実現される。
【００６８】
次に、本発明の動作について説明する。まず、ユーザ端末側目的地候補記憶部２３に目的地候補の情報を記憶させるまでの動作を説明する。図４は、ユーザ端末側目的地候補記憶部２３に目的地候補の情報を記憶させるまでの処理経過の例を示すフローチャートである。ユーザ端末２（図１参照）の情報取得手段２１は、ユーザに指定されたウェブページを取得し、そのウェブページをユーザ端末２のディスプレイ装置（図示略。）に表示させる。そして、情報取得手段２１は、そのウェブページのＨＴＭＬ形式のテキスト情報を情報解析部２２に入力する（ステップＳ１）。
【００６９】
すると、情報解析部２２において、位置情報抽出部３１２が、ウェブページのＨＴＭＬ形式のテキスト情報（以下、単にウェブページと記す。）から、住所と緯度および経度とを位置情報として抽出し、名称抽出部３１１がウェブページから名称を抽出する（ステップＳ２）。なお、位置情報抽出部３１２は、抽出した住所を指定して緯度経度提供サーバ（図示せず。）に緯度および経度を問い合わせ、緯度経度提供サーバから緯度および経度を取得してもよい。
【００７０】
ステップＳ２で位置情報および名称が抽出されなかった場合、ステップＳ２で処理を終了する。
【００７１】
続いて、位置情報抽出部３１２は、抽出した位置情報と一致する位置情報を含むレコードがユーザ端末側目的地候補記憶部２３に記憶されているか否かを判定する（ステップＳ３）。位置情報が一致するレコードが記憶されていなければ（ステップＳ３におけるＮｏ）、位置情報抽出部３１２は、ステップＳ２で抽出された位置情報および名称を含む新規レコードを作成する（ステップＳ４）。一方、位置情報が一致するレコードが記憶済みであれば、位置情報抽出部３１２は、そのレコードをユーザ端末側目的地候補記憶部２３から読み込む（ステップＳ５）。
【００７２】
また、位置情報が一致するレコードをユーザ端末側目的地候補記憶部２３から読み込んだ場合、そのレコードに含まれている名称と、ステップＳ２で抽出した名称とが一致していなければ、例えば名称抽出部３１１が、ステップＳ２で抽出した名称のテーブルをそのレコードに追加する（ステップＳ６）。
【００７３】
新たに作成したレコード、またはユーザ端末側目的地候補記憶部２３から読み込んだレコードに対して以下の処理を行う。
【００７４】
重要単語検出部３１２は、予め定められた重要単語をウェブページから検出し、その検出数をカウントする。そして、レコードに含まれている重要単語検出数に、カウントした重要単語検出数を加算する（ステップＳ７）。重要単語検出数がレコードに含まれていない場合には、カウントした重要単語検出数をそのままレコードに追加すればよい。なお、このとき、目的地候補を分類するためのキーワードとして予め定められたキーワードをウェブページから検出して、そのキーワードをレコードに含めてもよい。なお、図２では、これらのキーワードを含むが、重要単語検出数を含まない場合のレコードを例示している。
【００７５】
閲覧時刻計測部３２は、情報取得部２１がディスプレイ装置（図示略。）にウェブページを表示させたときに、その時刻をユーザのウェブページ閲覧時刻として計測しておく。そして、閲覧時刻計測部３２は、計測したユーザのウェブページ閲覧時刻で、レコードにおけるウェブページ閲覧時刻を更新する（ステップＳ８）。ウェブページ閲覧時刻がレコードに含まれていなければ、計測したウェブページ閲覧時刻をレコードに追加する。ステップＳ８で更新された閲覧時刻は、ユーザがウェブページを最後に閲覧したときの時刻である。図２に示す例では、「最終閲覧時間」が、ユーザのウェブページ閲覧時刻に該当する。
【００７６】
閲覧回数計測部３４は、抽出される位置情報が共通するウェブページを情報取得部２１がディスプレイ装置（図示略。）に表示させた回数を、ユーザによるウェブページの閲覧回数としてカウントし、そのウェブページ閲覧回数で、レコードにおけるウェブページ閲覧回数を更新する（ステップＳ９）。ウェブページ閲覧回数がレコードに含まれていなければ、ウェブページ閲覧回数をレコードに追加すればよい。
【００７７】
閲覧時間計測部３３は、ウェブページを情報取得部２１がディスプレイ装置（図示略。）に表示させた時間を、ユーザのウェブページ閲覧時間として計測し、そのウェブページ閲覧時間を、レコードにおけるウェブページ閲覧時間に加算する（ステップＳ１０）。ウェブページ閲覧時間がレコードに含まれていなければ、計測したウェブページ閲覧時間をそのままレコードに含めればよい。
【００７８】
また、ＵＲＬ解析部３５は、ステップＳ１０１で情報取得部２１から入力されたウェブページのＵＲＬの階層の深さを判定する（ステップＳ１１）。そして、ウェブページのＵＲＬの階層の深さを示す数値を、レコードに含まれているウェブページのＵＲＬの階層の深さに加算する（ステップＳ１１）。ウェブページのＵＲＬの階層の深さがレコードに含まれていなければ、判定した深さを示す数値をそのままレコードに含めればよい。なお、図２では、ＵＲＬの階層の深さを示す数値を含んでいないレコードを例示している。
【００７９】
また、ＵＲＬ解析部３５は、ステップＳ１で情報取得部２１から入力されたウェブページのＵＲＬをレコードに追加する。このとき、ステップＳ５で読み込んだレコードに含まれているＵＲＬと、ステップＳ１で入力されたウェブページのＵＲＬとが異なっていれば、レコード内の既存のＵＲＬに新たなＵＲＬテーブルが追加されることになる。
【００８０】
操作履歴解析部３６は、情報取得部２１がユーザに提示したウェブページに対するブックマーク登録操作および印刷操作を検出し、その操作回数をカウントする。そして、操作履歴解析部３６は、レコードに含まれているブックマーク登録操作および印刷操作の回数に、カウントした回数を加算する（ステップＳ１２）。ブックマーク登録操作および印刷操作の回数がレコードに含まれていなければ、カウントした回数をそのままレコードに追加する。図２では、この回数を含んでいないレコードを例示している。
【００８１】
次に、重要度判定部３７は、レコードの重要度（換言すれば目的地候補の重要度）を導出する（ステップＳ１３）。重要度判定部３７は、ステップＳ１３の時点でレコードに含まれている重要単語検出数、ユーザのウェブページ閲覧回数、閲覧時間、ウェブページのＵＲＬの階層の深さ、ブックマーク登録操作および印刷操作の回数に基づいて重要度を計算する。重要度判定部３７は、重要単語検出数、ユーザのウェブページ閲覧回数、ブックマーク登録操作および印刷操作の回数が多いほど、レコードの重要度の値を増加させる。同様に、ウェブページのＵＲＬの階層の深さが深いほど、重要度の値を増加させ、また、ユーザのウェブページ閲覧時間が長いほど、重要度の値を増加させる。また、レコード内に記載されたＵＲＬ（図２参照）の数が多いほど、重要度の値を増加させてもよい。
【００８２】
重要度判定部３７による重要度導出の具体例を示す。例えば、重要度判定部３７は、重要単語については検出数１あたり、１０点を加算する。ウェブページ閲覧回数に関しては、１回あたり１点を加算する。ウェブページの閲覧時間に関しては、１分あたり１点を加算する。また、レコード内に含まれるＵＲＬテーブルの数に関しては、１個あたり１０点を加算する。ブックマーク登録操作および印刷操作の回数に関しては、操作１回あたり１０点を加算する。ウェブページのＵＲＬの階層の深さに関しても、単位当たりの点数を決めておき、深さに応じた点数を加算する。このような加算を行うことにより、重要度判定部３７は重要度を計算すればよい。
【００８３】
なお、重要度判定部３７は、重要単語検出数、ユーザのウェブページ閲覧回数、閲覧時間、ウェブページのＵＲＬの階層の深さ、ブックマーク登録操作および印刷操作の回数、ＵＲＬテーブルの数等の項目毎に計算した点数に項目毎の重み係数を乗算し、その項目毎の乗算結果の合計を重要度としてもよい。このように重要度を求めることで、項目毎の点数の重みを調整することができる。この場合、項目毎の重み係数が目的地設定システムの設計者によって予め設定されていてもよい。あるいは、ユーザから各重み係数が入力される構成であってもよい。
【００８４】
また、目的地設定システムを運用する過程で、重要単語検出数、ユーザのウェブページ閲覧回数、閲覧時間、ウェブページのＵＲＬの階層の深さ、ブックマーク登録操作および印刷操作の回数、ＵＲＬテーブルの数等の項目毎に計算した点数と、ユーザが実際に選択した目的地候補との相関性が特定された場合、相関性の高い項目について重み係数を増加するように、重み係数を変化させる構成であってもよい。
【００８５】
ステップＳ１３において、重要度判定部３７は、導出した重要度をレコードに含める。その後、重要度判定部３７は、そのレコードをユーザ端末側目的地候補記憶部２３に記憶させる（ステップＳ１４）。
【００８６】
次に、車載端末１が目的地を設定するまでの動作について説明する。図５は、ユーザ端末２において目的地候補のレコードが記憶された後、車載端末１が目的地を設定するまでの処理経過の例を示すフローチャートである。ユーザ端末２の通信部２４（図１参照。）は、ユーザ端末側目的地候補記憶部２３に記憶された目的地候補のレコード群（すなわち目的地候補データベース）を案内端末１に送信する（ステップＳ２１）。ユーザ端末２の通信部２４は、例えば、ユーザによって送信を指示する操作が行われたときに、目的地候補のレコード群を車載端末１に送信してもよい。あるいは、車載端末１からの要求に応じて、目的地候補のレコード群を車載端末１に送信してもよい。
【００８７】
車載端末１の通信部１５（図１参照。）は、ユーザ端末２の通信部２４から目的地候補のレコード群を受信する。このとき、例えば、車載端末１のＣＰＵが、その目的地候補レコード群を案内端末側目的地候補記憶部１４に記憶させる（ステップＳ２２）。この結果、案内端末側目的地候補記憶部１４にも、ユーザ端末側目的地候補記憶部２３と同様に、目的地候補データベースが記憶される。
【００８８】
車載端末１の目的地設定部１１は、重要度に基づいて目的地候補を表示する（ステップＳ２３）。例えば、案内端末側目的地候補記憶部１４に記憶された各目的地レコードが表す目的地候補を、重要度の高い順に一覧表示させる。このとき、目的地設定部１１は、車載端末１のディスプレイ装置（図示略。）に、目的地候補の名称等を、重要度の高い順に一覧表示させればよい。
【００８９】
そして、目的地設定部１１は、表示した目的地候補のいずれかを選択する操作がユーザに行われると、その目的地候補を目的地として設定する（ステップＳ２４）。例えば、重要度順に一覧表示した目的地候補のうちいずれかが選択されると、その目的地候補を目的地として設定する。その後、車載端末１は、現在位置から、設定した目的地までの経路をユーザに提示する。
【００９０】
ステップＳ２４において、目的地設定部１１は、目的地設定以外の操作を受け付け、その操作に従って処理を行ってもよい。例えば、重要度に基づいて表示した目的地候補のいずれかが選択され、その目的地候補に関するウェブページ表示を指示する操作が行われると、目的地設定部１１は、その目的地候補のレコードに含まれているＵＲＬが示すウェブページをインターネットを介して取得し、そのウェブページをディスプレイ装置（図示略。）に表示させてもよい。また、表示した目的地候補のいずれかが選択され、その目的地候補を削除する操作が行われると、目的地設定部１１は、その目的地候補のレコードを案内端末側目的地候補記憶部１４から削除してもよい。
【００９１】
上記の例では、ステップＳ２３で目的地候補の一覧を重要度順に表示する場合を示したが、目的地の表示態様は他の態様であってもよい。以下、目的地候補を地図上に表示する場合を例にして説明する。本例では、車載端末１のディスプレイ装置（図示略。）には、タッチ位置の座標情報を入力として扱えるタッチパネルが設けられているものとする。図６は、地図上に目的地候補を表示する例を示す説明図である。本例では、目的地設定部１１は、地図４１を車載端末１のディスプレイ装置（図示略。）に表示させ、目的地候補に該当する地図上の位置にはアイコンを表示させる。図６では、アイコン４２〜４４を目的地候補として表示している例を示す。目的地設定部１１は、アイコンの周囲に、目的地候補の名称を表示させてもよい。
【００９２】
また、目的地設定部１１は、アイコンにより表示すべき目的地候補の重要度を指定するボタンもディスプレイ装置に表示させる。図６に示す例では、ボタン４７，４８が重要度を指定するボタンである。ボタン４７は、重要度が高い目的地候補を表示させるためのボタンである。また、ボタン４８は、重要度が低い目的地候補を表示させるためのボタンである。目的地設定部１１は、ボタン４７にタッチされると、例えば、重要度が閾値以上となっている目的地候補のレコードを検索し、その目的地候補の位置にアイコンを表示させればよい。また、目的地設定部１１は、ボタン４８にタッチされると、例えば、重要度が閾値未満となっている目的地候補のレコードを検索し、その目的地候補の位置にアイコンを表示させればよい。閾値は、予め定めておけばよい。表示対象の目的地候補の重要度をボタンによって切り替えることで、重要度が閾値以上である目的地候補に絞り込んでユーザに提示することができる。
【００９３】
なお、重要度を指定するためのボタン４７，４８以外に、目的地候補の分類を指定するためのボタンをディスプレイ装置に表示させてもよい。図６に示す例では、ボタン４９，５０が、目的地候補の分類を指定するためのボタンである。ボタン４９は、駐車場に関連する目的地候補を表示させるためのボタンである。また、ボタン５０は、ラーメン店に関連する目的地候補を表示させるためのボタンである。例えば、ボタン４９にタッチされると、目的地設定部１１は、キーワード「駐車場」を含む目的地候補のレコードを検索し、その目的地候補の位置にアイコンを表示させればよい。ボタン５０がタッチされた場合には、キーワード「ラーメン」を含む目的地候補のレコードを検索すればよい。また、このようなボタンは、ウェブページから抽出するキーワードに合わせて用意しておけばよい。
【００９４】
ステップＳ２３で、図６に例示するアイコンを表示させた後、アイコンがタッチされると、吹き出し４６を表示させて、吹き出し４６に目的地候補に関するより詳細な説明を表示し、併せて、アイコンに対する選択肢（図示略。）を表示させる。例えば、目的地候補を目的地として設定すること、目的地候補に関するウェブページを表示すること、目的候補を目的地候補データベースから削除すること等の選択肢を表示させる。目的地候補を目的地として設定することが選択された場合、目的地設定部１１は、タッチされたアイコンに対応する目的地候補を目的地として設定する。また、目的地候補に関するウェブページを表示することが選択された場合、目的地設定部１１は、タッチされたアイコンに対応する目的地候補のレコードに含まれているＵＲＬが示すウェブページをインターネットを介して取得し、そのウェブページをディスプレイ装置（図示略。）に表示させる。また、目的候補を目的地候補データベースから削除することが選択された場合、目的地設定部１１は、タッチされたアイコンに対応する目的地候補のレコードを案内端末側目的地候補記憶部１４から削除する。
【００９５】
なお、図６では、アイコン４１が指定され、アイコン４１に関する吹き出し４６を表示している場合を例示している。
【００９６】
本実施形態によれば、ユーザ端末２の情報取得部２１がウェブページを取得してユーザに閲覧させたときに、情報解析部２２がウェブページから目的地候補の位置情報および名称を抽出し、位置情報が一致するウェブページの閲覧履歴に基づいて重要度を決定する。そして、車載端末１は、その重要度に基づいて目的地候補をユーザに提示し、ユーザに選択された目的地候補を目的地として設定する。このように、様々なウェブページに位置情報等が記載されていたとしても、各ウェブページで記載された場所が、実際の目的地に該当する可能性の程度（重要度）求め、その重要度に基づいてユーザに目的地候補を提示するので、ユーザは重要度が高い目的地候補から順に確認していくことができ、ユーザは、閲覧したウェブページから得られる各目的地候補の中から、目的地を容易に決定することができる。
【００９７】
また、本実施形態では、ユーザ端末２が案内端末１に、目的地候補のレコード群を送信し、案内端末１が、受信したレコード群に含まれる重要度に基づいて、ユーザに目的地候補を表示する。従って、ユーザが、事前に自宅のパーソナルコンピュータや携帯端末でウェブページにアクセスしたとしても、そのウェブページを車載端末１における目的地設定に利用することができる。
【００９８】
一般に、カーナビゲーションシステム用端末が、画面が小さい等の制約がある。そのため、ドライブや旅行等をする場合、ユーザが、事前に自宅のパーソナルコンピュータや携帯端末を利用して、目的地や経由地におけるレストラン、観光スポット、その他の関連する様々な事項に関して情報を収集する場合がある。本発明では、このようなユーザが車載端末とは別の端末で閲覧したウェブページを利用して、車載端末１で容易に目的地を設定できる。
【００９９】
また、車載端末１は、予め定められたランドマークの情報を保持し、ランドマークを一覧表示したり、地図上にランドマークを表示したりする機能を備えていてもよい。そして、予め定められたランドマークが、目的地候補に該当している場合、目的地設定部１１は、重要度に応じてランドマークを表示させてもよい。
【０１００】
例えば、予め定められたランドマークの一覧表示を指示する操作がユーザによって行われ場合、目的地設定部１１は、目的地候補に該当するランドマークを重要度が高い順に一覧表示してもよい。
【０１０１】
また、例えば、ランドマークを地図上に表示する操作がユーザによって行われた場合、目的地設定部１１は、目的地候補に該当するランドマークについては、重要度の値が大きいほど大きなアイコンで表示するようにしてもよい。また、重要度が閾値以上となっているランドマークのみをアイコンで表示させてもよい。
【０１０２】
以上の説明では、ユーザ端末２で導出された重要度をそのまま用いて、その重要度に基づいて目的地候補をユーザに提示する場合を示した。車載端末１は、ユーザ端末２で導出された重要度を元にして、車載端末１の状況等に応じて重要度を調整し、調整後の重要度に基づいて目的地候補をユーザに提示してもよい。この場合の目的地設定部１１の動作について説明する。なお、通信部１５および案内端末側目的地候補記憶部１４は、既に説明したとおりであり、説明を省略する。
【０１０３】
図７は、車載端末１が重要度を調整する場合の目的地設定部１１の例を示すブロック図である。本例では、案内端末１は、目的地設定部１１等のほかに、位置計測部１２と、現在時刻計測部１３とを備える。
【０１０４】
位置計測部１２は、車載端末１の現在位置を計測する。位置計測部１２は、例えば、ＧＰＳ（Global Positioning System）衛星からＧＰＳ信号を受信し、そのＧＰＳ信号に基づいて車載端末１の現在位置を計測する。あるいは、他の方法で現在位置を計測してもよい。
【０１０５】
現在時刻計測部１３は、現在時刻を計測するタイマである。
【０１０６】
目的地設定部１１は、現在位置解析部６１と、現在時刻解析部６２と、操作履歴解析部６３と、重要度調整部６４と、設定受付部６５とを備える。
【０１０７】
現在位置解析部６１は、位置計測部１２によって計測された車載端末１の現在位置と、各目的地候補の位置情報が示す位置との距離を計算する。このとき、現在位置解析部６１は、直線距離を計算してもよい。あるいは、経路に沿った道のりを計算してもよい。
【０１０８】
現在時刻解析部６２は、現在時刻計測部１３によって計算された現在時刻と、各目的地候補の位置情報が抽出されたウェブページがユーザによって閲覧された閲覧時刻（例えば、図２に示す最終閲覧時刻）との時間差を計算する。すなわち、ユーザがウェブページを閲覧した時刻から現在時刻までの経過時間を計算する。
【０１０９】
操作履歴解析部６３は、ユーザが目的地候補を目的地として設定する操作、および目的地候補の位置情報が抽出されたウェブページ（レコードに記載のＵＲＬが示すウェブページ）の表示を指示する操作が車載端末１で行われたことを検出する。以下、前者の操作を目的地設定操作と記し、後者の操作をウェブページ表示操作と記す。
【０１１０】
なお、目的地設定部１１は、現在位置解析部６１、現在時刻解析部６２および操作履歴解析部６３に関しては、現在位置解析部６１、現在時刻解析部６２および操作履歴解析部６３のうち少なくとも一つを備えていればよい。
【０１１１】
重要度調整部６４は、現在位置解析部６１、現在時刻解析部６２、操作履歴解析部６３による計算結果や検出結果に基づいて、ユーザ端末２で導出された重要度を調整する。具体的には、以下のように重要度を調整する。
【０１１２】
重要度調整部６４は、現在位置解析部６１によって計算された距離が小さいほど、値が大きくなるように目的地候補の重要度を制御する。すなわち、目的地候補の位置と現在位置とが近いほど、値が大きくなるように目的地候補の重要度を制御する。ただし、この処理は、現在位置解析部６１が備えられている場合に行えばよく、現在位置解析部６１が備えられていない場合には、目的地候補の位置と現在位置との距離は考慮しない。
【０１１３】
また、重要度調整部６４は、現在時刻解析部６２によって計算された時間差が小さいほど、値が大きくなるように目的地候補の重要度を制御する。すなわち、ユーザがウェブページを閲覧した時刻から現在時刻までの経過時間が短いほど、値が大きくなるように目的地候補の重要度を制御する。例えば、経過時間が短いほど値が大きくなるように係数を定めておき、重要度にその係数を乗じることによって重要度を調整する。一例を挙げると、経過時間が０ならば係数を１とし、経過時間が０より大きく３ヶ月以下であれば係数を０．７５とし、経過時間が３ヶ月より大きく６ヶ月以下であれば係数を０．５とする等のように、経過時間が短いほど係数を大きな値として定める。経過時間が１年以上等のように長い場合は係数を０とする。重要度調整部６４は、経過時間に応じた係数を重要度に乗じることで重要度を調整すればよい。なお、係数値は上記の例に限定されない。ただし、この処理は、現在時刻解析部６２が備えられている場合に行えばよく、現在時刻解析部６２が備えられていない場合には、ウェブページ閲覧時刻から現在時刻までの経過時間は考慮しない。
【０１１４】
また、重要度調整部６４は、操作履歴解析部６３によって目的地設定操作またはウェブページ表示操作が検出された場合に値が大きくなるように目的地候補の重要度を制御する。なお、操作履歴解析部６３はウェブページ表示操作を検出せずに目的地設定操作を検出し、目的地設定操作が検出されたときに重要度調整部６４が重要度の値を増加させる構成であってもよい。あるいは、操作履歴解析部６３は目的地設定操作を検出せずにウェブページ表示操作を検出し、ウェブページ表示操作が検出されたときに重要度調整部６４が重要度の値を増加させる構成であってもよい。
【０１１５】
また、位置計測部１２の計測結果の履歴は、車載端末１の移動経路を表す。この移動経路上に目的地候補の位置が存在するということは、ユーザが目的地候補を訪れたということである。重要度調整部６４は、そのような目的地候補の重要度が大きくなるように重要度を制御してもよい。
【０１１６】
なお、目的地候補の位置と現在位置との距離による調整、閲覧時刻から現在時刻までの経過時間による調整、操作履歴解析部６３の検出結果による調整の順序は特に限定されない。
【０１１７】
設定受付部６５は、重要度に基づいて目的地候補を表示し、表示した目的地候補のいずれかを選択する操作がユーザに行われると、その目的地候補を目的地として設定する。すなわち、設定受付部６５は、ステップＳ２３，Ｓ２４の処理を行う。
【０１１８】
車載端末１が、図７に例示する目的地設定部１１、位置計測部１２、現在時刻計測部１３を備える場合、ステップＳ２３（図５参照。）の前に、重要度調整部６４が各目的地候補の重要度を調整し、その後に、設定受付部６５がステップＳ２３，Ｓ２４の処理を実行すればよい。
【０１１９】
情報解析部２２の重要度判定部３７は、ユーザがウェブページを閲覧した時における重要度を決定していて、目的地設定部１１の重要度調整部６４は、その重要度に基づいて、ウェブページ閲覧後の状況に応じた重要度を決定しているということができる。重要度調整部６４による調整後の重要度に基づいて各目的地候補をユーザに提示するので、ユーザは現在の状況も考慮した重要度によって、より適切な目的地候補を選択することができる。
【０１２０】
現在位置解析部６１、現在時刻解析部６２、操作履歴解析部６３、重要度調整部６４および設定受付部６５を含む目的地設定部１１と、位置計測部１２とは、例えば、プログラム（目的地設定プログラム）に従って動作するＣＰＵによって実現される。また、各構成要素がそれぞれ別々のハードウェアによって実現されていてもよい。
【０１２１】
実施形態２．
図８は、本発明の目的地設定システムの第２の実施形態の例を示すブロック図である。第２の実施形態の目的地設定システムは、車載端末１ａと、ユーザ端末２ａと、サーバ７０とを備える。車載端末１ａ、ユーザ端末２ａおよびサーバ７０は、例えばインターネット等の通信ネットワーク７５を介して接続される。
【０１２２】
第２の実施形態では、ユーザ端末２ａが複数設けられ、それぞれのユーザ端末２ａは、異なるユーザによって使用される。サーバ７０は、各ユーザ端末２ａにおける各ユーザのウェブページの閲覧履歴に基づく重要度（目的地候補指標値）を記憶する。車載端末１ａは、サーバに記憶された重要度に基づいて各目的地候補をユーザに提示する。図８では、１台の車載装置１を示しているが、各ユーザの車載装置も通信ネットワーク７５に接続される。
【０１２３】
ユーザ端末２ａは、情報取得部２１と、情報解析部２２ａと、通信部２４ａとを備える。情報取得部２１は、第１の実施形態における情報取得部２１と同様である。ユーザ端末２ａの通信部２４ａは、通信ネットワーク７５を介して、サーバ７０と目的地候補の情報（目的地候補のレコード）を送受信する。
【０１２４】
情報解析部２２ａは、ウェブページから、ユーザ５が行こうとする目的地の候補である目的地候補の位置情報および名称等を抽出し、その目的地候補の重要度を導出する。情報解析部２２ａは、目的地候補の位置情報、名称、重要度等を含む目的地候補のレコードを、通信部２４ａによりサーバ７０に送信する。また、ウェブページから抽出した位置情報と同一の位置情報を含む目的地候補のレコードがサーバ７０の目的地候補記憶部７１に既に記憶されている場合には、そのレコードをサーバ７０から取得し、そのレコードに対してデータの追加や更新を行う。
【０１２５】
情報解析部２２ａは、第１の実施形態と同様に、テキスト解析部３１と、閲覧時刻計測部３２と、閲覧時間計測部３３と、閲覧回数計測部３４と、ＵＲＬ解析部３５と、操作履歴解析部３６と、重要度判定部３７とを備える。テキスト解析部３１は、名称抽出部３１１と、位置情報抽出部３１２と、重要単語検出部３１３とを備える（図３参照）。
【０１２６】
情報解析部２２ａは、サーバ７０に対して目的地候補のレコードを記憶させたり、既存の目的地候補のレコードをサーバ７０から取得したりする点が第１の実施形態における情報解析部２２と異なるが、他の点については１の実施形態における情報解析部２２と同様である。
【０１２７】
情報取得部２１および情報解析部２２ａは、例えば、情報収集プログラムに従って動作するコンピュータのＣＰＵによって実現される。
【０１２８】
サーバ７０は、目的地候補記憶部７１と、制御部７２と、通信部７３とを備える。サーバ７０の通信部７３は、通信ネットワーク７５を介して、各ユーザ端末２ａおよび各車載端末１ａと目的地候補の情報（目的地候補のレコード）を送受信する。
【０１２９】
目的地候補記憶部７１は、各ユーザ端末２ａから受信した目的地候補のレコードの集合を目的地候補データベースとして記憶する記憶装置である。
【０１３０】
制御部７２は、ユーザ端末２ａおよび車載端末１ａから受信した目的地候補のレコードを目的地候補記憶部７１に記憶させる。また、ユーザ端末２ａおよび車載端末１ａからの要求に応じて、目的地候補記憶部７１に記憶されている目的地候補のレコードをユーザ端末２ａおよび車載端末１ａに通信部７３によって送信する。
【０１３１】
第２の実施形態では、ユーザ端末２ａの情報解析部２２ａは、サーバ７０の目的地候補記憶部７１に目的地候補のレコードを記憶させ、また、ウェブページから抽出した位置情報を含む目的地候補のレコードが存在する場合に、そのレコードをサーバ７０から取得する。この点を除き、目的地候補記憶部７１に目的地候補のレコードを記憶させるまでの動作は第１の実施形態における動作（図４参照）と同様である。
【０１３２】
あるユーザ端末２ａにおいて、ウェブページから目的地候補の位置情報が抽出されたときに、同一の位置情報を含む目的地候補のレコードが既に別のユーザ端末によって作成され、目的地候補記憶部７１に記憶されているとする。新たに位置情報を抽出したユーザ端末２ａの情報解析部２２ａは、その目的地候補のレコードをサーバ７０から取得し、閲覧回数や閲覧時間、ウェブページから抽出した重要単語の数等に応じてレコードを更新し、さらにそれらの情報に基づいて重要度を計算して、レコード内の重要度も更新する。従って、サーバ７０の目的地候補記憶部７１には、複数のユーザのウェブページ閲覧履歴に基づく重要度が蓄積される。すなわち、目的地候補データベースが複数のユーザによって構築されていくことになる。
【０１３３】
なお、個々のユーザ端末２ａからサーバ７０に送信する目的地候補のレコードは、ユーザ端末２ａの使用者のウェブページ閲覧を反映した情報である。各ユーザ端末２ａでは、この情報の公開を行うか否かを設定可能としてもよい。情報を公開する設定された場合、情報解析部２２ａは上述のように動作すればよく、情報を公開しないと設定された場合、情報解析部２２ａは動作を停止すればよい。
【０１３４】
車載端末１ａは、目的地設定部１１ａと、通信部１５ａとを備える。通信部１５ａは、通信ネットワーク７５を介して、サーバ７０と目的地候補の情報（目的地候補のレコード）を送受信する。
【０１３５】
目的地設定部１１ａは、サーバ７０から、各目的地候補のレコードを受信し、重要度に基づいて目的地候補を表示する。そして、表示した目的地候補のいずれかを選択する操作がユーザに行われると、その目的地候補を目的地として設定する。
【０１３６】
車載端末１ａの処理経過は、例えば以下のようになる。目的地設定部１１ａは、ユーザの操作に従い、サーバ７０に対して各目的地候補のレコードを要求し、サーバ７０から各目的地候補のレコードを受信する。その後、目的地設定部１１ａは、各目的地候補のレコードに含まれている重要度に基づき目的地候補を表示する。この動作は、第１の実施形態におけるステップＳ２３（図５参照）と同様である。そして、表示した目的地候補のいずれかを選択する操作が行われると、その目的地候補を目的地として設定する。この動作は、第１の実施形態におけるステップＳ２４（図５参照）と同様である。
【０１３７】
第２の実施形態では、複数のユーザの閲覧履歴を反映した重要度が目的地候補のレコードに含まれている。従って、多くのユーザにとって、目的地に該当する可能性が高い目的地候補を優先的にユーザに提示することができる。すなわち、より信頼性の高い目的地候補をユーザに提示することができ、ユーザはその中から目的地を決定すればよいので、ユーザは目的地を容易に決定することができる。
【０１３８】
また、第２の実施形態２において、車載端末１ａは、車載端末１ａにおけるユーザの行動に応じて、目的地候補記憶部７１に記憶されている目的地候補の重要度を更新してもよい。この場合の目的地設定部１１ａの動作について説明する。
【０１３９】
図９は、目的地候補記憶部７１に記憶されている目的地候補の重要度を更新する車載端末１ａの構成例を示すブロック図である。本例では、車載端末１１ａは、位置計測部１２も備える。また、目的地設定部１１ａは、位置履歴解析部８１と、目的地設定履歴解析部８２と、ウェブページ閲覧履歴解析部８３と、重要度更新部８４と、設定受付部６５とを備える。
【０１４０】
位置計測部１２は、図７に示す構成における位置計測部１２と同様に、車載端末１ａの現在位置を計測する。
【０１４１】
位置履歴解析部８１は、位置計測部１２が計測した現在位置の履歴を、サーバ７０（目的地候補記憶部７１）から取得した各目的地候補のレコードに含まれる位置情報と比較し、車載端末１のユーザが目的地候補を訪問したことがあるか否かを判定する。位置履歴解析部８１は、これまでに計測された現在位置の中に、目的地候補の位置情報が示す位置との距離が閾値以下となるものがあれば、車載端末１のユーザが目的地候補を訪問したことがあると判定し、現在位置の中に、目的地候補の位置情報が示す位置との距離が閾値以下となるものがなければ、訪問したことがないと判定する。位置履歴解析部８１は、この判定を目的地候補のレコード毎に行えばよい。
【０１４２】
目的地設定履歴解析部８２は、ユーザが目的地候補を目的地として設定する操作（目的地設定操作）を検出する。
【０１４３】
ウェブページ閲覧履歴解析部８３は、目的地候補の位置情報が抽出されたウェブページの表示を指示する操作（ウェブページ表示操作）が車載端末１で行われたことを検出する。このウェブページは、目的地候補のレコード中に記載されたＵＲＬが示すウェブページである。
【０１４４】
なお、置履歴解析部８１、目的地設定履歴解析部８２およびウェブページ閲覧履歴解析部８３に関しては、目的地設定部１１ａは、置履歴解析部８１、目的地設定履歴解析部８２およびウェブページ閲覧履歴解析部８３のうち少なくとも一つを備えていればよい。
【０１４５】
重要度更新部８４は、通信部１５によって、サーバ７０から各目的地候補のレコードを受信し、条件に合致する場合、目的地候補の重要度を更新する。具体的に、以下のように重要度を更新する。
【０１４６】
重要度更新部８４は、位置履歴解析部８１によって、車載端末１ａのユーザが目的地候補を訪問したことがあると位置履歴解析部８１に判定された場合に、値が大きくなるように、その目的地候補の重要度を制御する。重要度更新部８４は、例えば、ユーザの目的地への訪問回数分の得点を重要度に加算すればよい。例えば、ユーザがある目的地候補を１回訪問する毎に、重要度に１点ずつ加算していけばよい。実際に訪問された場所は、目的地に該当する信頼性が高く、そのような場所の重要度を高めることができる。ただし、この処理は、位置履歴解析部８１が備えられている場合に行えばよく、位置履歴解析部８１が備えられていない場合には訪問回数は考慮しない。
【０１４７】
また、重要度更新部８４は、目的地設定履歴解析部８２によって目的地設定操作が検出されると、値が大きくなるように、目的地設定操作が行われた目的地候補の重要度を制御する。重要度更新部８４は、例えば、目的地設定操作が検出される毎に、その操作が行われた目的地候補の重要度に所定の点数（例えば１点）を加算していけばよい。ただし、この処理は、目的地設定履歴解析部８２が備えられている場合に行えばよく、目的地設定履歴解析部８２が備えられていない場合には、目的地設定操作の検出は考慮しなくてよい。
【０１４８】
また、重要度更新部８４は、ウェブページ閲覧履歴解析部８３によってウェブページ表示操作が検出される毎に、値が大きくなるように、そのウェブページに関連する目的地候補の重要度を制御する。重要度更新部８４は、例えば、ウェブページ表示操作が検出される毎に、そのウェブページのＵＲＬを含むレコードに記載された重要度に所定の点数（例えば１点）を加算していけばよい。ただし、この処理は、ウェブページ閲覧履歴解析部８３が備えられている場合に行えばよく、ウェブページ閲覧履歴解析部８３が備えられていない場合には、ウェブページ表示操作の検出は考慮しなくてよい。
【０１４９】
また、重要度更新部８４は、目的地候補への訪問回数に基づく加算点数、目的地設定操作の検出に基づく加算点数、および、ウェブページ表示操作の検出に基づく加算点数に対して、それらの加算点数の種類毎に定められた重み係数を乗算し、その乗算結果を重要度に加算してもよい。
【０１５０】
重要度更新部８４は、上記のように更新した重要度を含む目的地候補のレコードを、通信部１５によってサーバ７０に送信し、サーバ７０の制御部７２にそのレコードを目的候補記憶部７１に記憶させる。この結果、車載端末１におけるユーザの操作等も重要度に片影される。
【０１５１】
設定受付部６５は、図７に示す構成における設定受付部６５と同様であり、重要度に基づいて目的地候補を表示し、表示した目的地候補のいずれかを選択する操作がユーザに行われると、その目的地候補を目的地として設定する。
【０１５２】
位置履歴解析部８１、目的地設定履歴解析部８２、ウェブページ閲覧履歴解析部８３、重要度更新部８４および設定受付部６５を含む目的地設定部１１ａと、位置計測部１２とは、例えば、目的地設定プログラムに従って動作するＣＰＵによって実現される。また、各構成要素がそれぞれ別々のハードウェアによって実現されていてもよい。
【０１５３】
本例では、例えば、設定受付部６５が、ユーザの操作に従い、サーバ７０に対して各目的地候補のレコードを要求し、サーバ７０から各目的地候補のレコードを受信する。その後、設定受付部６５は、各目的地候補のレコードに含まれている重要度に基づき目的地候補を表示する。そして、表示した目的地候補のいずれかを選択する操作が行われると、その目的地候補を目的地として設定する。この動作は、第１の実施形態におけるステップＳ２３，Ｓ２４と同様である。
【０１５４】
そして、目的地候補を目的地として設定する操作が行われると、目的地設定履歴解析部８２がその操作を検出し、重要度更新部８４は該当する目的地候補の重要度を増加させる。
【０１５５】
同様に、目的地候補に関するウェブページを取得して表示することを指示する操作が行われると、ウェブページ閲覧履歴解析部８３がその操作を検出し、重要度８４は該当する目的地候補の重要度を増加させる。
【０１５６】
また、車載端末委１ａのユーザが目的地候補を訪問したと位置履歴解析部８１が判定した場合、重要度８４は該当する目的地候補の重要度を増加させる。
【０１５７】
重要度更新部８４は、更新後の重要度を含む目的地候補のレコードをサーバ７０に送信し、サーバ７０の制御部７２に、目的地候補データベースを更新させる。
【０１５８】
このような動作により、車載端末１ａを用いて行動する各ユーザの状況を重要度に反映することができる。
【０１５９】
第２の実施形態において、図７に示す構成と同様に、車載端末１ａが現在時刻計測部１３を備え、目的地設定部１１ａが、現在位置解析部６１と、現在時刻解析部６２と、操作履歴解析部６３と、重要度調整部６４とを備えていてもよい。重要度調整部６４は、サーバ７０から受信した目的地候補のレコードに含まれる重要度に対して、図７に示す構成の場合と同様に調整を行い、設定受付部６５がその重要度に基づいて目的地候補を提示すればよい。
【０１６０】
実施形態３．
図１０は、本発明の目的地設定システムの第３の実施形態の例を示すブロック図である。第１の実施形態と同様の構成要素については、図１と同様の符号を付し、詳細な説明を省略する。第３の実施形態の目的地設定システムは、車載端末１ｂと、ユーザ端末２ｂとを備える。
【０１６１】
ユーザ端末２ｂは、情報取得部２１と、情報解析部２２ｂと、ユーザ端末側目的地候補記憶部２３と、通信部２４とを備える。情報解析部２２ｂは、第１の実施形態における情報解析部２２と同様の動作を行う。さらに、情報解析部２２ｂは、ウェブページから抽出された目的地候補の名称を、音声認識キーワードに変換する。音声認識キーワードは、車載端末１ｂでユーザの音声認識を行った結果と比較される比較対照文字列である。音声認識キーワードは、表音文字の文字列として表される。情報解析部２２ｂは、目的地候補のレコードに、音声認識キーワードも含める。
【０１６２】
図１１は、第３の実施形態における情報解析部２２ｂの構成例を示すブロック図である。図３に示す構成要素と同様の構成要素については図３と同一の符号を付し、説明を省略する。第３の実施形態における情報解析部２２ｂのテキスト解析部３１は、名称抽出部３１１等に加えて、音声認識キーワード生成部３１４を備える。音声認識キーワード生成部３１４は、名称抽出部３１１がウェブページから抽出した名称を、表音文字の文字列に変換する。この文字列が音声認識キーワードである。名称抽出部３１１は、ウェブページからタイトル等を抽出することによって、目的地候補の名称を抽出する。音声認識キーワード生成部３１４は、その名称を音声認識キーワードに変換すればよい。
【０１６３】
音声認識キーワード生成部３１４は、生成した音声認識キーワードを目的地候補のレコードに含める。従って、目的地候補毎に音声認識キーワードを含む音声認識データベースがユーザ端末側目的地候補記憶部２３に記憶され、その結果、車載端末１ｂの案内端末側目的地候補記憶部１４にも同様の音声認識データベースが記憶される。
【０１６４】
音声認識キーワード生成部３１４は、例えば、情報収集プログラムに従って動作するコンピュータのＣＰＵによって実現される。
【０１６５】
第３の実施形態における車載端末１ｂは、目的地設定部１１ｂと、案内端末側目的地候補記憶部１４と、通信部１５と、音声認識部１６と、音声認識辞書記憶部１７とを備える。
【０１６６】
目的地設定部１１ｂは、第１の実施形態の目的地設定部１１と同様の動作を行う。さらに、目的地設定部１１ｂは、ユーザからの音声入力による目的地設定指示も受け付ける。
【０１６７】
音声認識辞書記憶部１７は、音声認識キーワード群を音声認識辞書として記憶する記憶装置である。図１２は、音声認識辞書の例を示す説明図である。本実施形態では、音声認識キーワードと、位置情報（緯度、経度および住所）との組み合わせを音声認識辞書とすする。
【０１６８】
例えば、車載端末１ｂのＣＰＵ（図示せず。）が、案内端末側目的地候補記憶部１４に記憶された目的地候補のレコード毎に、位置情報（緯度、経度および住所）と音声認識キーワードとを抜き出し、音声認識辞書記憶部１７に記憶させればよい。
【０１６９】
音声認識部１６は、ユーザの音声に対して音声認識処理を行い、音声認識結果を表音文字の文字列として特定する。この文字列を音声認識結果文字列と記す。音声認識部１６は、音声認識結果文字列と、音声認識辞書記憶部１７に記憶されている音声認識キーワードとを比較し、音声認識結果文字列と一致する音声認識キーワードがあれば、その音声認識キーワードが表す目的地候補を、目的地として設定すべき候補として目的地設定部１１ｂに通知する。
【０１７０】
目的地設定部１１ｂは、音声認識部１６から目的地候補を通知されると、その目的地候補を目的地として設定する。この結果、ユーザが音声で目的地候補を指定して、目的地として設定することが可能になる。
【０１７１】
目的地設定部１１ｂおよび音声認識部１６は、例えば目的地設定プログラムに従って動作するコンピュータのＣＰＵによって実現される。
【０１７２】
本実施形態によれば、目的地候補毎の音声認識キーワードを車載端末１７の音声認識辞書記憶部１７に記憶させ、音声認識部１６が、音声認識キーワードと一致するユーザの音声を検出する。従って、ユーザは、設定しようとする目的地候補を音声で指定することができる。
【０１７３】
また、ユーザがユーザ端末２ｂで目的地候補のウェブページを閲覧した場合、情報解析部２２ｂが音声認識キーワードを生成し、その音声認識キーワードを目的地候補データベースに含め、その結果、音声認識辞書記憶部１７にも新たに音声認識キーワードが追加される。従って、ユーザが、事前に閲覧したウェブページに示されていた名称を発話することで目的地候補を指定しようとする際に、音声認識キーワードが辞書登録されている状態となっている。よって、音声認識キーワードが辞書登録されていないために、音声による指定を行えないという状況を回避することができる。
【０１７４】
また、目的地候補となる場所に愛称や略称等の複数の名称がある場合には、名称抽出部３１１（図１１参照）は各名称をウェブページから抽出すればよい。そして、音声認識キーワード精鋭部３１４は、それぞれの名称について音声認識キーワードを生成すればよい。この場合、ユーザは、愛称や略称等の種々の名称を発話することによっても、目的地候補を指定することができる。
【０１７５】
なお、音声認識部１６は、音声認識結果と音声認識キーワードとの一致度を点数として求め、点数の高い音声認識キーワードを特定してもよい。この場合、目的地候補に定められている重要度の値を利用して、重要度が高い目的地候補の音声認識キーワードが選択されやすくなるように制御してもよい。
【０１７６】
第２の実施形態において、車載端末１ａに音声認識部１６および音声認識辞書記憶部１７を設け、情報解析部２２ａが音声認識キーワード生成部３１４を含む構成としてもよい。
【０１７７】
次に、本発明の最小構成について説明する。図１３は、本発明の目的地設定システムの最小構成を示すブロック図である。本発明の目的地設定システムは、情報取得手段９１と、情報解析手段９２と、目的地候補記憶手段９３と、目的地設定手段９４とを備える。
【０１７８】
情報取得手段９１（例えば、情報取得部２１）は、ウェブページを取得する。
【０１７９】
情報解析手段９２（例えば、情報解析部２２，２２ａ，２２ｂ）は、ウェブページからユーザの目的地候補の位置情報およびその目的地候補の名称を抽出し、その位置情報および名称がユーザの目的地に該当する可能性の程度を示す目的地指標値をウェブページの閲覧履歴に基づいて導出する。
【０１８０】
目的地候補記憶手段９３（例えば、案内端末側目的地候補記憶部１４）は、位置情報と名称と目的地指標値とを含む情報（例えば、目的地候補のレコード）を目的地候補の情報として記憶する。
【０１８１】
目的地設定手段９４（例えば、目的地設定部１１，１１ａ，１１ｂ）は、目的地指標値に基づいて目的地候補をユーザに提示し、ユーザに選択された目的地候補を目的地として設定する。
【０１８２】
そのような構成により、ユーザが閲覧した情報から得られる各目的地候補の中からユーザが目的地の決定を容易に行うことができる。
【０１８３】
また、図１４は、本発明の目的地設定システムに適用される端末装置（例えば、ユーザ端末２，２ａ，２ｂ）の最小構成を示すブロック図である。本発明の端末装置は、ウェブページを取得する情報取得手段９１（例えば、情報取得部２１）と、ウェブページからユーザの目的地候補の位置情報およびその目的地候補の名称を抽出し、その位置情報および名称がユーザの目的地に該当する可能性の程度を示す目的地指標値をウェブページの閲覧履歴に基づいて導出する情報解析手段９２（例えば、情報解析部２２，２２ａ，２２ｂ）とを備える。
【０１８４】
また、図１５は、本発明の目的地設定システムに適用される案内端末（例えば、車載端末１，１ａ，１ｂ）の最小構成を示すブロック図である。本発明の案内端末は、現在位置から目的地までの経路を案内する案内端末であって、ウェブページから抽出されたユーザの目的地候補の位置情報および名称と、その位置情報および名称がユーザの目的地に該当する可能性の程度を示す目的地指標値とを目的地候補の情報として記憶する目的地候補記憶手段９３（例えば、案内端末側目的地候補記憶部１４）と、目的地指標値に基づいて目的地候補をユーザに提示し、ユーザに選択された目的地候補を目的地として設定する目的地設定手段９４（例えば、目的地設定部１１，１１ａ，１１ｂ）とを備える。
【０１８５】
また、上記の実施形態には、以下に示す構成の目的地設定システム、端末装置、案内端末が記載されている。
【０１８６】
（１）ウェブページを取得する情報取得手段（例えば、情報取得部２１）と、ウェブページからユーザの目的地候補の位置情報およびその目的地候補の名称を抽出し、その位置情報および名称がユーザの目的地に該当する可能性の程度を示す目的地指標値をウェブページの閲覧履歴に基づいて導出する情報解析手段（例えば、情報解析部２２，２２ａ，２２ｂ）と、位置情報と名称と目的地指標値とを含む情報（例えば、目的地候補のレコード）を目的地候補の情報として記憶する目的地候補記憶手段（例えば、案内端末側目的地候補記憶部１４）と、目的地指標値に基づいて目的地候補をユーザに提示し、ユーザに選択された目的地候補を目的地として設定する目的地設定手段（例えば、目的地設定部１１，１１ａ，１１ｂ）とを備えることを特徴とする目的地設定システム。
【０１８７】
（２）情報解析手段が、ユーザがウェブページを閲覧した閲覧回数を計測する閲覧回数計測手段（例えば、閲覧回数計測部３４）、ユーザによるウェブページの閲覧時間を計測する閲覧時間計測手段（例えば、閲覧時間計測部３３）、ウェブページのＵＲＬの階層を判定する階層判定手段（例えば、ＵＲＬ解析部３５）、ウェブページのブックマーク登録操作または印刷操作を検出するウェブページ操作検出手段（例えば、操作履歴解析部３６）、および、予め定められた重要単語をウェブページから抽出する単語抽出手段（例えば、重要単語検出部３１３）のうちの少なくとも一つを有し、さらに、情報解析手段が、閲覧回数計測手段を有している場合には、閲覧回数計測手段が計測した閲覧回数が多いほど値が大きくなるように目的地指標値を制御し、閲覧時間計測手段を有している場合には、閲覧時間計測手段が計測した閲覧時間が長いほど値が大きくなるように目的地指標値を制御し、階層判定手段を有している場合には、階層判定手段が判定したウェブページのＵＲＬの階層が深いほど値が大きくなるように目的地指標値を制御し、ウェブページ操作検出手段を有している場合には、ウェブページ操作検出手段がウェブページのブックマーク登録操作または印刷操作を検出した回数が多いほど値が大きくなるように目的地指標値を制御し、単語抽出手段を有している場合には、単語抽出手段が抽出した重要単語の数が多いほど値が大きくなるように目的地指標値を制御するウェブページ閲覧時指標値決定手段（例えば、重要度判定部３７）を有する目的地設定システム。
【０１８８】
（３）情報解析手段が、ユーザがウェブページを閲覧した時刻を計測する閲覧時刻計測手段（例えば、閲覧時刻計測部３２）を有し、現在時刻を計測する現在時刻計測手段（例えば、現在時刻計測部１３）と、現在位置を計測する位置計測手段（例えば、位置計測部１２）とを備え、目的地設定手段が、現在位置から目的地候補の位置までの距離を計算する現在位置解析手段（例えば、現在位置解析部６１）、ユーザがウェブページを閲覧した時刻から現在時刻までの経過時間を計算する現在時刻解析手段（現在時刻解析部６２）、および、ユーザが目的地候補を目的地として設定する操作を検出する設定操作検出手段（操作履歴解析部６３）のうちの少なくとも一つを有し、さらに、目的地設定手段が、現在位置解析手段を有している場合には、現在位置から目的地候補の位置までの距離が短いほど値が大きくなるように目的地候補の目的地指標値を制御し、現在時刻解析手段を有している場合には、ユーザがウェブページを閲覧した時刻から現在時刻までの経過時間が短いほど値が大きくなるようにウェブページに対応する目的地指標値を制御し、設定操作検出手段を有している場合には、設定操作検出手段がユーザによる目的地候補を目的地として設定する操作を検出すると値が大きくなるように目的地候補の目的地指標値を制御するウェブページ閲覧後指標値決定手段（例えば、重要度調整部６４）を有する目的地設定システム。
【０１８９】
（４）目的地候補記憶手段が設けられたサーバ装置（例えば、サーバ装置７０）を備え、情報取得手段および情報解析手段が設けられたユーザ端末（例えば、ユーザ端末２ａ）を複数備え、ユーザに目的地までの経路を案内する案内端末であって、目的地設定手段が設けられた案内端末（例えば、車載端末１ｂ）を備え、各ユーザ端末の情報解析手段は、目的地候補の位置情報と名称と目的地指標値とを導出したときに、サーバ装置に、目的地候補記憶手段に記憶されているその位置情報に対応する目的地指標値を、導出した目的地指標値分増加させ、案内端末は、現在位置を計測する位置計測手段（例えば、位置計測部１２）を備え、目的地設定手段が、ユーザが目的地候補を目的地として設定する操作を検出する設定操作検出手段（例えば、目的地設定履歴解析部８２）、目的地候補に対応するウェブページを閲覧するための操作を検出する閲覧操作検出手段（例えば、ウェブページ閲覧履歴解析部８３）、および、現在位置と目的地候補の位置情報とを比較して案内端末の所有者であるユーザが目的地候補に訪れたか否かを判定する位置判定手段（例えば、位置履歴解析部８１）のうちの少なくとも一つを有し、さらに、目的地設定手段が、設定操作検出手段を有している場合には、設定操作検出手段がユーザによる目的地候補を目的地として設定する操作を検出すると、値が大きくなるように、サーバ装置の目的地候補記憶手段に記憶された目的地候補の目的地指標値を制御し、閲覧操作検出手段を有している場合には、閲覧操作検出手段がユーザによる目的地候補に対応するウェブページを閲覧するための操作を検出すると、値が大きくなるように、サーバ装置の目的地候補記憶手段に記憶された目的地候補の目的地指標値を制御し、位置判定手段を有している場合には、位置判定手段がユーザが目的地候補に訪れたと判定すると、値が大きくなるように、サーバ装置の目的地候補記憶手段に記憶された目的地候補の目的地指標値を制御する目的地指標値更新手段（重要度更新部８４）を有する目的地設定システム。
【０１９０】
（５）目的地候補の情報に含まれる名称を、音声認識結果との比較対象文字列として記憶する音声認識辞書記憶手段（例えば、音声認識辞書記憶部１７）と、ユーザの発した音声に対する音声認識を行い、音声認識結果が音声認識辞書記憶手段に記憶されたいずれかの比較対象文字列に一致するか否かを判定する音声認識手段（音声認識部１６）とを備え、目的地設定手段が、音声認識結果が音声認識辞書記憶手段に記憶されたいずれかの比較対象文字列に一致すると判定された場合に、比較対象文字列に該当する名称の目的地候補がユーザに選択されたと判定する目的地設定システム。
【０１９１】
（６）ウェブページを取得する情報取得部（例えば、情報取得部２１）と、ウェブページからユーザの目的地候補の位置情報およびその目的地候補の名称を抽出し、その位置情報および名称がユーザの目的地に該当する可能性の程度を示す目的地指標値をウェブページの閲覧履歴に基づいて導出する情報解析部（例えば、情報解析部２２，２２ａ，２２ｂ）と、位置情報と名称と目的地指標値とを含む情報（例えば、目的地候補のレコード）を目的地候補の情報として記憶する目的地候補記憶部（例えば、案内端末側目的地候補記憶部１４）と、目的地指標値に基づいて目的地候補をユーザに提示し、ユーザに選択された目的地候補を目的地として設定する目的地設定部（例えば、目的地設定部１１，１１ａ，１１ｂ）とを備えることを特徴とする目的地設定システム。
【０１９２】
（７）情報解析部が、ユーザがウェブページを閲覧した閲覧回数を計測する閲覧回数計測部（例えば、閲覧回数計測部３４）、ユーザによるウェブページの閲覧時間を計測する閲覧時間計測部（例えば、閲覧時間計測部３３）、ウェブページのＵＲＬの階層を判定する階層判定部（例えば、ＵＲＬ解析部３５）、ウェブページのブックマーク登録操作または印刷操作を検出するウェブページ操作検出部（例えば、操作履歴解析部３６）、および、予め定められた重要単語をウェブページから抽出する単語抽出部（例えば、重要単語検出部３１３）のうちの少なくとも一つを有し、さらに、情報解析部が、閲覧回数計測部を有している場合には、閲覧回数計測部が計測した閲覧回数が多いほど値が大きくなるように目的地指標値を制御し、閲覧時間計測部を有している場合には、閲覧時間計測部が計測した閲覧時間が長いほど値が大きくなるように目的地指標値を制御し、階層判定部を有している場合には、階層判定部が判定したウェブページのＵＲＬの階層が深いほど値が大きくなるように目的地指標値を制御し、ウェブページ操作検出部を有している場合には、ウェブページ操作検出部がウェブページのブックマーク登録操作または印刷操作を検出した回数が多いほど値が大きくなるように目的地指標値を制御し、単語抽出部を有している場合には、単語抽出部が抽出した重要単語の数が多いほど値が大きくなるように目的地指標値を制御するウェブページ閲覧時指標値決定部（例えば、重要度判定部３７）を有する目的地設定システム。
【０１９３】
（８）情報解析部が、ユーザがウェブページを閲覧した時刻を計測する閲覧時刻計測部（例えば、閲覧時刻計測部３２）を有し、現在時刻を計測する現在時刻計測部（例えば、現在時刻計測部１３）と、現在位置を計測する位置計測部（例えば、位置計測部１２）とを備え、目的地設定部が、現在位置から目的地候補の位置までの距離を計算する現在位置解析部（例えば、現在位置解析部６１）、ユーザがウェブページを閲覧した時刻から現在時刻までの経過時間を計算する現在時刻解析部（現在時刻解析部６２）、および、ユーザが目的地候補を目的地として設定する操作を検出する設定操作検出部（操作履歴解析部６３）のうちの少なくとも一つを有し、さらに、目的地設定部が、現在位置解析部を有している場合には、現在位置から目的地候補の位置までの距離が短いほど値が大きくなるように目的地候補の目的地指標値を制御し、現在時刻解析部を有している場合には、ユーザがウェブページを閲覧した時刻から現在時刻までの経過時間が短いほど値が大きくなるようにウェブページに対応する目的地指標値を制御し、設定操作検出部を有している場合には、設定操作検出部がユーザによる目的地候補を目的地として設定する操作を検出すると値が大きくなるように目的地候補の目的地指標値を制御するウェブページ閲覧後指標値決定部（例えば、重要度調整部６４）を有する目的地設定システム。
【０１９４】
（９）目的地候補記憶部が設けられたサーバ装置（例えば、サーバ装置７０）を備え、情報取得部および情報解析部が設けられたユーザ端末（例えば、ユーザ端末２ａ）を複数備え、ユーザに目的地までの経路を案内する案内端末であって、目的地設定部が設けられた案内端末（例えば、車載端末１ｂ）を備え、各ユーザ端末の情報解析部は、目的地候補の位置情報と名称と目的地指標値とを導出したときに、サーバ装置に、目的地候補記憶部に記憶されているその位置情報に対応する目的地指標値を、導出した目的地指標値分増加させ、案内端末が、現在位置を計測する位置計測部（例えば、位置計測部１２）を備え、目的地設定部が、ユーザが目的地候補を目的地として設定する操作を検出する設定操作検出部（例えば、目的地設定履歴解析部８２）、目的地候補に対応するウェブページを閲覧するための操作を検出する閲覧操作検出部（例えば、ウェブページ閲覧履歴解析部８３）、および、現在位置と目的地候補の位置情報とを比較して案内端末の所有者であるユーザが目的地候補に訪れたか否かを判定する位置判定部（例えば、位置履歴解析部８１）のうちの少なくとも一つを有し、さらに、目的地設定部が、設定操作検出部を有している場合には、設定操作検出部がユーザによる目的地候補を目的地として設定する操作を検出すると、値が大きくなるように、サーバ装置の目的地候補記憶部に記憶された目的地候補の目的地指標値を制御し、閲覧操作検出部を有している場合には、閲覧操作検出部がユーザによる目的地候補に対応するウェブページを閲覧するための操作を検出すると、値が大きくなるように、サーバ装置の目的地候補記憶部に記憶された目的地候補の目的地指標値を制御し、位置判定部を有している場合には、位置判定部がユーザが目的地候補に訪れたと判定すると、値が大きくなるように、サーバ装置の目的地候補記憶部に記憶された目的地候補の目的地指標値を制御する目的地指標値更新部（重要度更新部８４）を有する目的地設定システム。
【０１９５】
（１０）目的地候補の情報に含まれる名称を、音声認識結果との比較対象文字列として記憶する音声認識辞書記憶部（例えば、音声認識辞書記憶部１７）と、ユーザの発した音声に対する音声認識を行い、音声認識結果が音声認識辞書記憶部に記憶されたいずれかの比較対象文字列に一致するか否かを判定する音声認識部（音声認識部１６）とを備え、目的地設定部が、音声認識結果が音声認識辞書記憶部に記憶されたいずれかの比較対象文字列に一致すると判定された場合に、比較対象文字列に該当する名称の目的地候補がユーザに選択されたと判定する目的地設定システム。
【０１９６】
（１１）ウェブページを取得する情報取得部と、ウェブページからユーザの目的地候補の位置情報およびその目的地候補の名称を抽出し、その位置情報および名称がユーザの目的地に該当する可能性の程度を示す目的地指標値をウェブページの閲覧履歴に基づいて導出する情報解析部とを備えることを特徴とする端末装置。
【０１９７】
（１２）現在位置から目的地までの経路を案内する案内端末であって、ウェブページから抽出されたユーザの目的地候補の位置情報および名称と、その位置情報および名称がユーザの目的地に該当する可能性の程度を示す目的地指標値とを目的地候補の情報として記憶する目的地候補記憶部と、目的地指標値に基づいて目的地候補をユーザに提示し、ユーザに選択された目的地候補を目的地として設定する目的地設定部とを備えることを特徴とする案内端末。
【０１９８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１９９】
この出願は、２００９年５月１２日に出願された日本特許出願２００９−１１５７４６を基礎とする優先権を主張し、その開示の全てをここに取り込む。
【産業上の利用の可能性】
【０２００】
本発明は、カーナビゲーションシステム等のように現在位置から目的地までの経路を案内するシステムにおいて、目的地を設定するために好適に適用される。
【符号の説明】
【０２０１】
１，１ａ，１ｂ  車載端末（案内端末）
２，２ａ，２ｂ  ユーザ端末
１１，１１ａ，１１ｂ  目的地設定部
１２  位置計測部
１３  現在時刻計測部
１４  案内端末側目的地候補記憶部
２１  情報取得部
２２，２２ａ，２２ｂ  情報解析部
２３  ユーザ端末側目的地候補記憶部
３２  閲覧時刻計測部
３３  閲覧時間計測部
３４  閲覧回数計測部
３５  ＵＲＬ解析部
３６  操作履歴解析部
３７  重要度判定部
６１  現在位置解析部
６２  現在時刻解析部
６３  操作履歴解析部
６４  重要度調整部
６５  設定受付部
７０  サーバ
７１  目的地候補記憶部
８１  位置履歴解析部
８２  目的地設定履歴解析部
８３  ウェブページ閲覧履歴解析部
８４  重要度更新部
３１１  名称抽出部
３１２  位置情報抽出部
３１３  重要単語検出部
３１４  音声認識キーワード生成部
【図１】
2010131445.tif 000003
【図２】
2010131445.tif 000004
【図３】
2010131445.tif 000005
【図４】
2010131445.tif 000006
【図５】
2010131445.tif 000007
【図６】
2010131445.tif 000008
【図７】
2010131445.tif 000009
【図８】
2010131445.tif 000010
【図９】
2010131445.tif 000011
【図１０】
2010131445.tif 000012
【図１１】
2010131445.tif 000013
【図１２】
2010131445.tif 000014
【図１３】
2010131445.tif 000015
【図１４】
2010131445.tif 000016
【図１５】
2010131445.tif 000017
【国際調査報告】
2010131445.tif 000018
2010131445.tif 000019
2010131445.tif 000020
2010131445.tif 000021